(57)【特許請求の範囲】
【請求項１】
多数の駒を連結していくことによってチェーン状に構成されるコードであって、前記駒は、一対の側部要素とその間に挟まれる１つの中間要素とから成り、前記中間要素は、前記一対の側部要素から前記側部要素の長さの約２分の１ずらして配置され、その前記一対の側部要素と当接する部分に前記一対の側部要素間に渡される固定ピンが挿通されることによって前記一対の側部要素間に固定され、前記駒同士の連結は、前記中間要素の前記一対の側部要素から突出する部分が他の駒の前記一対の側部要素間の空隙部に挿入され、前記突出部分を貫通させて前記一対の側部要素の一方から他方に連接用ピンが挿入されることによって行なわれ、前記一対の側部要素の少なくとも一方の裏面に、長さ方向に延びて両端が開放された導線を通すための溝が形成され、前記固定ピンと前記連接用ピンの挿入位置は上下にずらされ、前記導線は裏面から見て前記固定ピンの上を通すと共に前記連接用ピンの下を通すように挿通されることを特徴とする装飾コード。
【請求項２】
前記溝を前記駒の裏面の両側に設けた請求項１に記載の装飾コード。
【請求項３】
前記固定ピンは、前記溝内において露見させない請求項１に記載の装飾コード。
【請求項４】
前記一対の側部要素と前記中間要素とを色分け又は模様分けした請求項１に記載の装飾コード。
【発明の詳細な説明】
【０００１】
【発明の属する技術分野】
本発明は装飾コード、より詳細には、近時提案されている手首装着型通信機器のように、外観（装飾性）が重視されるような機器において、導線が露見して機器全体の装飾性を阻害することがないよう配慮した装飾コードに関するものである。
【０００２】
【従来の技術】
近時、腕時計の感覚で手首に装着するタイプの通信装置（携帯電話）が提唱されている。図７はその一例を示すもので、それは、バンド３１を介して手首に装着される本体３２と、本体３２にコード３４を介して接続され、使用時に指輪の如くして指に装着される骨伝導スピーカ３３とから構成されている。
【０００３】
このタイプの通信装置においてはファッション性が重視されるところ、上記構成においては、一般に何ら装飾性が付与されることなく剥き出しとなるコード３４が目立って目障りとなり、一見してこの種機器を装着していることが分かり、服装にも合わせにくく、ファッション性阻害要因となる。
【０００４】
【発明が解決しようとする課題】
本発明は、上述したように、手首装着型でファッション性を重視するタイプの通信機器においては、コードがファッション性の阻害要因となることに鑑みてなされたもので、アクセサリーの如き装飾性を有しているため装飾具としての機能も併せ持ち、機器全体のファッション性を阻害するおそれのない装飾コードを提供することを課題とする。
【０００５】
【課題を解決するための手段】
上記課題を解決するための本発明に係る装飾コードは、多数の駒を連結していくことによってチェーン状に構成されるコードであって、前記駒の裏面に溝を設け、前記溝内に導線を挿通且つ係止可能にして成る。
【０００６】
前記駒は、一対の側部要素とその間に挟まれる１つの中間要素とから成り、前記中間要素は、前記一対の側部要素から前記側部要素の長さの約２分の１ずらして配置され、その前記一対の側部要素と当接する部分に前記一対の側部要素間に渡される固定ピンが挿通されることによって前記一対の側部要素間に固定され、前記駒同士の連結は、前記中間要素の前記一対の側部要素から突出する部分が他の駒の前記一対の側部要素間の空隙部に挿入され、前記突出部分を貫通させて前記一対の側部要素の一方から他方に連接用ピンが挿入されることによって行なわれ、前記一対の側部要素の少なくとも一方の裏面に、長さ方向に延びて両端が開放された導線を通すための溝が形成され、前記固定ピンと前記連接用ピンの挿入位置は上下にずらされ、前記導線は裏面から見て前記固定ピンの上を通すと共に前記連接用ピンの下を通すように挿通されることを特徴とする。
【０００７】
【発明の実施の形態】
本発明の実施の形態を添付図面に依拠して説明する。図１は、本発明に係る装飾性を備えたコードを形成するための駒１の構成例を示すもので（（Ａ）は表面図、（Ｂ）は側面図、（Ｃ）は裏面図）、駒１は２つの側部要素２、３と１つの中間要素４を有し、側部要素２、３の間に、中間要素４を、側部要素２、３の長さの２分の１程ずらして取り付けて成る。その場合中間要素４は、固定ピン５を介し、側部要素２、３に完全に固定してしまってもよいし、若干あるいは自由に回動可能に軸支させることとしてもよい。通例、固定ピン５は隠れて露見しない。
【０００８】
図１（Ａ）において中間要素４の上端部及び側部要素２、３の下端部に、横方向に貫ぬく連接用ピン（割ピン６又はネジピン６ａ）の挿入孔７が穿設される。また、側部要素２、３の裏面に、長さ方向に延びる溝８が形成される。
【０００９】
図２は、上記構成の駒１を多数、割ピン６等を用いて連接して形成される本発明に係る装飾コードを示すもので（（Ａ）は表面図、（Ｂ）は側面図、（Ｃ）は裏面図である。）、各駒１は、その突出する中間要素４を他の駒１の側部要素２、３間に挟み入れ、各要素の挿入孔７に割ピン６等を挿通することによって連接していく。
【００１０】
上記連接作業と同時に、あるいは、連接作業終了後、溝８内に、コードを構成する２本の導線９を嵌め入れていく。その際導線９は、裏面側から見て、固定ピン５の上を通すと共に、割ピン６等の下を通すようにしていく（図３及び図４参照）。
【００１１】
図５及び図６は、駒１に装飾性を付与する方法の例を示すもので、図５（Ａ）は、中間要素４を金色にすると共に側部要素２、３を白金色にした例を示し、図５（Ｂ）は側部要素２、３に装飾模様を刻設した例を示し、また、図６（Ａ）、（Ｂ）は各要素２〜４の表面側を甲丸カットした例を示す。勿論、駒１に装飾性を付与する方法は、これらに限定される訳ではなく、他にも種々考えられる。
【００１２】
上記構成においては、導線９（又は同軸ケーブル１１）は駒１の裏側に隠れて露見しないため、駒１を連ねて構成されるコードの装飾性が害されることはない。
【００１３】
【発明の効果】
本発明は上述した通りであって、本発明に係る装飾コードは、装飾性を備えた駒を連ねて構成され、導線類は駒の裏側に隠れるため、アクセサリーの如き装飾性を持った外観を呈するので、機器全体のファッション性を阻害するおそれがないだけでなく、装飾具としての機能を併せ持ち、手首装着型の通信機器のように、常時人目に晒されている機器に用いるコードとして好適である。
【図面の簡単な説明】
【図１】本発明に係る装飾コードを形成する駒の形状例を示す図である。
【図２】本発明に係る装飾コードの実施例を示す図である。
【図３】図２におけるＡ―Ａ線断面図である。
【図４】図２におけるＢ―Ｂ線断面拡大図である。
【図５】本発明に係る装飾コードを形成する駒の他の実施形態を示す図である。
【図６】本発明に係る装飾コードを形成する駒の更に他の実施形態を示す図である。
【図７】手首装着型通信機器の構成例を示す図である。
【符号の説明】
１    駒
２    側部要素
３    側部要素
４    中間要素
５    固定ピン
６    割ピン
６ａ  ネジピン
７    挿入孔
８    溝
９    導線
【図１】
0003905017.tif 000002
【図２】
0003905017.tif 000003
【図３】
0003905017.tif 000004
【図４】
0003905017.tif 000005
【図５】
0003905017.tif 000006
【図６】
0003905017.tif 000007
【図７】
0003905017.tif 000008